(57)【要約】  ディスプレイカバー（３０）は、表示装置（１０）の表側に配置される。ディスプレイカバー（３０）は、光透過性基材（３２）と、開口部（３５）を有する第一遮光部（３４）と、開口部（３７）を有する第二遮光部（３８）とを含む。第一遮光部（３４）は、光透過性基材（３２）の表側の面に設けられる。第二遮光部（３８）は、光透過性基材（３２）の裏側の面に開口部（３５）の端部に沿って設けられる。開口部（３７）は、開口部（３５）と表裏方向に重なる。開口部（３５）と開口部（３７）との表裏方向に重なる領域は、透光領域（４２）となる。
2020189095.tif 000002
【特許請求の範囲】
【請求項１】
表示装置の表側に配置されるディスプレイカバーであって、
光透過性基材と、
開口部を有する第一遮光部と、
開口部を有する第二遮光部と、を含み、
前記第一遮光部は、前記光透過性基材の表側の面に設けられ、
前記第二遮光部は、前記光透過性基材の裏側の面に前記第一遮光部の前記開口部の端部に沿って設けられ、
前記第二遮光部の前記開口部は、前記第一遮光部の前記開口部と表裏方向に重なり、
前記第一遮光部の前記開口部と前記第二遮光部の前記開口部との表裏方向に重なる領域は、透光領域となる、ディスプレイカバー。
【請求項２】
前記第二遮光部の前記開口部の端部は、前記第一遮光部の前記開口部の内側に位置する、請求項１に記載のディスプレイカバー。
【請求項３】
前記第一遮光部の領域が曲面である、請求項１又は請求項２に記載のディスプレイカバー。
【請求項４】
請求項１から請求項３の何れか１項に記載のディスプレイカバーと、
前記ディスプレイカバーの裏側に配置される表示装置と、を含み、
前記表示装置は、
画像を表示する表示領域と、
前記表示領域の周囲の非表示領域と、を含み、
前記表示装置の前記表示領域は、前記ディスプレイカバーの前記透光領域の裏側に配置される、表示ユニット。
【請求項５】
表示装置の表側に配置されるディスプレイカバーの製造方法であって、
光透過性基材を形成する第一工程と、
前記光透過性基材の裏側の面に第二遮光部を形成する第二工程と、を含み、
前記第一工程は、前記光透過性基材の表側の面に開口部を有する第一遮光部を形成する工程を含み、
前記第二工程は、前記第二遮光部を前記第一遮光部の前記開口部の端部に沿って形成する、ディスプレイカバーの製造方法。
【発明の詳細な説明】
【技術分野】
【０００１】
本発明は、ディスプレイカバー、表示ユニット及びディスプレイカバーの製造方法に関する。
【背景技術】
【０００２】
液晶表示装置等の表示装置２１０には、表示領域２６０及び非表示領域２６２が存在する（図１７参照）。表示領域２６０は、画像を表示する。非表示領域２６２は、表示領域２６０の周囲に設けられる。表示装置２１０は、表側にディスプレイカバー２３０を有する。ディスプレイカバー２３０は、表示装置２１０全体を覆う。ディスプレイカバー２３０には、透光領域２４２及び非透光領域２４４が形成される。透光領域２４２は、表示装置２１０の表示領域２６０と対向するように配置される。非透光領域２４４は、表示装置２１０の非表示領域２６２と対向するように配置される。非透光領域２４４は、次の被覆対象物をディスプレイカバー２３０の表側から視認できないようにする。前述の被覆対象物の例としては、表示装置２１０の非表示領域２６２に配置される部品及び配線が挙げられる。【０００３】
非透光領域２４４は、光透過性基材２３２の表側の面に遮光部２３４を設けて形成される。光透過性基材２３２は、ディスプレイカバー２３０の主要部である。遮光部２３４は、着色層である。但し、特許文献１では、非透光領域は、光透過性基材の裏側の面に形成される。
【先行技術文献】
【特許文献】
【０００４】
【特許文献１】特開２０１８−１５９８９０号公報
【発明の概要】
【発明が解決しようとする課題】
【０００５】
表示装置２１０は、ディスプレイカバー２３０との間に距離を有する。人がディスプレイカバー２３０の透光領域２４２と非透光領域２４４との境界付近を斜めの方向から見たとする（図１７で前述の境界付近に示す矢印参照）。この場合、この人が表示装置２１０の非表示領域２６２を視認できることがあった。また、光透過性基材２３２は、厚みを有する。人が前述の境界付近を斜めに見た場合、この人が遮光部２３４の裏側の光透過性基材２３２を通して表示装置２１０の非表示領域２６２を視認できることがあった。【０００６】
本発明は、表示装置の非表示領域が視認され難い、ディスプレイカバー、表示ユニット及びディスプレイカバーの製造方法を提供することを目的とする。
【課題を解決するための手段】
【０００７】
本発明の一側面は、表示装置の表側に配置されるディスプレイカバーであって、光透過性基材と、開口部を有する第一遮光部と、開口部を有する第二遮光部と、を含み、前記第一遮光部は、前記光透過性基材の表側の面に設けられ、前記第二遮光部は、前記光透過性基材の裏側の面に前記第一遮光部の前記開口部の端部に沿って設けられ、前記第二遮光部の前記開口部は、前記第一遮光部の前記開口部と表裏方向に重なり、前記第一遮光部の前記開口部と前記第二遮光部の前記開口部との表裏方向に重なる領域は、透光領域となる、ディスプレイカバーである。【０００８】
本発明の他の側面は、上記のディスプレイカバーと、前記ディスプレイカバーの裏側に配置される表示装置と、を含み、前記表示装置は、画像を表示する表示領域と、前記表示領域の周囲の非表示領域と、を含み、前記表示装置の前記表示領域は、前記ディスプレイカバーの前記透光領域の裏側に配置される、表示ユニットである。【０００９】
本発明の更に他の側面は、表示装置の表側に配置されるディスプレイカバーの製造方法であって、光透過性基材を形成する第一工程と、前記光透過性基材の裏側の面に第二遮光部を形成する第二工程と、を含み、前記第一工程は、前記光透過性基材の表側の面に開口部を有する第一遮光部を形成する工程を含み、前記第二工程は、前記第二遮光部を前記第一遮光部の前記開口部の端部に沿って形成する、ディスプレイカバーの製造方法である。
【発明の効果】
【００１０】
本発明のディスプレイカバー及び表示ユニットによれば、表示装置の非表示領域を視認され難くすることができる。本発明のディスプレイカバーの製造方法によれば、ディスプレイカバーを精度良く製造することができる。
【図面の簡単な説明】
【００１１】
【図１】実施形態の表示ユニットの概略構成の一例を示す断面図であり、表示ユニットを表裏方向に切断して示す。
【図２】実施形態のディスプレイカバーの概略構成の一例を示す正面図である。
【図３】実施形態のディスプレイカバーの概略構成の一例を示す背面図である。
【図４】実施形態の表示ユニットの概略構成の他の例を示す部分断面図であり、表示ユニットを表裏方向に切断して示す。第一遮光端が表示領域と非表示領域との境界と表裏方向に一致する場合を示す。
【図５】実施形態の表示ユニットの概略構成の更に他の例を示す部分断面図であり、表示ユニットを表裏方向に切断して示す。第一遮光端が非表示領域と表裏方向に重なる場合を示す。
【図６】フィルムインサート法による第一工程の一例を示す断面図である。透明フィルムが予備成形用の型枠に挿入された状態を示す。
【図７】フィルムインサート法による第一工程の一例を示す断面図である。透明フィルムが予備成形用の型枠に密着した状態を示す。
【図８】フィルムインサート法による第一工程の一例を示す断面図である。予備成形された透明フィルムが型枠から取り出された状態を示す。
【図９】フィルムインサート法による第一工程の一例を示す断面図である。予備成形された透明フィルムが射出成形用の金型に挿入される状態を示す。
【図１０】フィルムインサート法による第一工程の一例を示す断面図である。予備成形された透明フィルムの裏側に樹脂が充填される状態を示す。
【図１１】フィルムインサート法による第一工程の一例を示す断面図である。光透過性基材及び第一遮光部が一体化した成形物が金型から取り出される状態を示す。
【図１２】インモールド法による第一工程の一例を示す断面図である。透明フィルムが射出成形用の金型の内側へ誘導された状態を示す。
【図１３】インモールド法による第一工程の一例を示す断面図である。透明フィルムが金型の片面に吸引された状態を示す。
【図１４】インモールド法による第一工程の一例を示す断面図である。透明フィルムの裏側に樹脂が充填される状態を示す。
【図１５】インモールド法による第一工程の一例を示す断面図である。光透過性基材及び第一遮光部が一体化した成形物が金型から取り出される状態を示す。
【図１６】実施形態の表示ユニットの概略構成の更に他の例を示す断面図であり、表示ユニットを表裏方向に切断して示す。
【図１７】従来の表示ユニットの概略構成の一例を示す断面図であり、表示ユニットを表裏方向に切断して示す。
【発明を実施するための形態】
【００１２】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成に置換してもよい。本発明は、他の構成を含んでもよい。図面は、所定の構成を模式的に示す。ハッチングは、切断面を示す。
【００１３】
＜表示ユニット１＞
表示ユニット１について、図１〜５を参照して説明する。表示ユニット１は、ケース２と、表示装置１０と、ディスプレイカバー３０とを含む（図１参照）。ケース２は、少なくとも表側に開口部を有する。表示装置１０は、ケース２の内側に収納される。実施形態では、表示装置１０として、液晶表示装置を例示する。ディスプレイカバー３０は、表示装置１０の表側に配置され、ケース２の表側の開口部を閉塞する。実施形態では、ケース２、表示装置１０及びディスプレイカバー３０は、表側から見て長方形の形状を有する。
【００１４】
実施形態では、「表側」、「裏側」及び「表裏方向」を用いて、表示ユニット１、ケース２、表示装置１０及びディスプレイカバー３０を特定する。例えば、人は、表示ユニット１の表側にいて、表示装置１０の表側に表示されるカラー画像を見る。裏側は、表側の反対側である。表裏方向は、表側から裏側への方向と、裏側から表側への方向とを含む。所定の対象物の「表面」は、その対象物の表側の面を意味する。所定の対象物の「裏面」は、その対象物の裏側の面を意味する。この他、「中央」は、所定の対象物を表側から見た場合、その対象物の中央を意味し、「中心」は、前述の場合、その対象物の中心を意味する。
【００１５】
表示装置１０は、液晶セル１６と、バックライト１１とを有する。液晶セル１６及びバックライト１１は、表裏方向に重なる。バックライト１１は、液晶セル１６の裏側から液晶セル１６に向かって光を照射する。ケース２は、内側にフランジ１４を含む。液晶セル１６及びバックライト１１は、それぞれフランジ１４に取り付けられる。これに伴い、液晶セル１６及びバックライト１１の位置関係が固定される。例えば、この取り付けには、不図示の両面テープが用いられる。
【００１６】
液晶セル１６は、アレイ基板１８と、対向基板２０と、液晶層２２と、カラーフィルタ層２４と、ブラックマスク２５と、偏光板２６，２７とを含む。対向基板２０は、アレイ基板１８の表側に設けられる。液晶層２２は、アレイ基板１８と対向基板２０との間に挟まれる。カラーフィルタ層２４は、対向基板２０の裏面に設けられる。偏光板２６は、アレイ基板１８の裏面に設けられる。偏光板２７は、対向基板２０の表面に設けられる。偏光板２７、対向基板２０、カラーフィルタ層２４、液晶層２２、アレイ基板１８及び偏光板２６は、表裏方向の表側から裏側に向けて前述の順で一体をなし、液晶セル１６を形成する。
【００１７】
カラーフィルタ層２４は、Ｒ（赤色）、Ｇ（緑色）及びＢ（青色）の３色のカラーフィルタを含む。ＲＧＢの３色のカラーフィルタは、カラーフィルタ層２４の表面に平行な方向に順に並ぶ。この３色のカラーフィルタは、それぞれ１つの副画素に対応する。ＲＧＢの３つの副画素は、１つの画素を形成する。液晶セル１６では、多数の画素がアレイ基板１８の中央に並ぶ。一方、画素は、アレイ基板１８の辺付近の領域には存在しない。
【００１８】
ブラックマスク２５は、アレイ基板１８の画素が存在しない領域の表側に設けられる。ブラックマスク２５は、光を透過させないマスク部である。ブラックマスク２５は、アレイ基板１８の辺付近の領域を覆う。これに伴い、アレイ基板１８の辺付近の領域は、表側から視認されない。但し、ブラックマスク２５は、省略してもよい。この場合、カラーフィルタ層２４は、ブラックマスク２５が設けられる領域まで拡張される。カラーフィルタ層２４の拡張された領域の表側及び裏側の何れかの面には、ブラックマスクの層を形成してもよい。
【００１９】
実施形態では、後述するように、ブラックマスク２５が設けられていない領域は、表示装置１０の表示領域６０であり、ブラックマスク２５が設けられる領域は、表示装置１０の非表示領域６２である。表示領域６０には、上述した多数の画素が並ぶ。非表示領域６２は、表示領域６０を囲む。
【００２０】
バックライト１１は、導光板１２と、複数の光源と、光学シート１３とを含む（図１参照）。実施形態では、光源の図示は、省略されている。導光板１２は、表側から見て長方形の形状を有する。複数の光源は、導光板１２の長方形の一辺に沿って並べられる。光学シート１３は、導光板１２の表面に積層される。導光板１２、複数の光源及び光学シート１３は、バックライトケース１５に収納される。光源から発せられた光は、導光板１２に入射した後、光学シート１３を透過して表側へ出射される。バックライト１１は、液晶セル１６に向かって光を照射する。
【００２１】
液晶セル１６に入射した光に関し、液晶層２２における透過率は、副画素毎に制御される。この透過率の制御は、不図示の駆動回路によって実行される。この駆動回路は、液晶層２２に印加する電圧を制御する。表示装置１０は、液晶層２２において透過率が制御された光がカラーフィルタ層２４を透過することで、カラー画像を表示する。
【００２２】
表示装置１０は、表示領域６０と、非表示領域６２とを含む（図４，５参照）。表示装置１０は、表側から見た場合、カラー画像を表示領域６０に表示する。このカラー画像は、非表示領域６２には表示されない。実施形態では、表示装置１０を表側から見てブラックマスク２５が設けられている領域が非表示領域６２であり、表示領域６０は、非表示領域６２に囲まれる。
【００２３】
ディスプレイカバー３０は、表側から見て長方形の形状を有する。ディスプレイカバー３０は、表示装置１０全体を表側から覆う大きさを有する（図１参照）。ディスプレイカバー３０は、光透過性基材３２と、第一遮光部３４と、第二遮光部３８とを含む。光透過性基材３２は、無色透明である。第一遮光部３４及び第二遮光部３８は、着色層であり、光を透過させない。第一遮光部３４及び第二遮光部３８の色の例としては、黒色が挙げられる。
【００２４】
第一遮光部３４は、中央に長方形の開口部３５を有する（図２参照）。第一遮光部３４は、光透過性基材３２の表面に設けられる。第一遮光部３４は、ディスプレイカバー３０を表側から見てディスプレイカバー３０の辺付近の領域全体に設けられる。
【００２５】
第二遮光部３８は、開口部３７を有する（図３参照）。第二遮光部３８の開口部３７は、第一遮光部３４の開口部３５と相似形状又は同一形状を有する。第二遮光部３８は、外縁３３が長方形となる枠形状を有する。第二遮光部３８の外縁３３は、第一遮光部３４の開口部３５と相似形状又は同一形状を有する。第二遮光部３８は、光透過性基材３２の裏面に第一遮光部３４の開口部３５の端部に沿って設けられる。実施形態では、この第一遮光部３４の開口部３５の端部を「第一遮光端３６」という。表示装置１０では、第二遮光部３８は、第一遮光部３４と表裏方向に重なり、第二遮光部３８の開口部３７は、第一遮光部３４の開口部３５と表裏方向に重なる（図４，５参照）。
【００２６】
第一遮光部３４の開口部３５と第二遮光部３８の開口部３７との表裏方向に重なる領域は、透光領域４２となる。透光領域４２では、光が表裏方向に透過する。透光領域４２の周囲の領域は、非透光領域４４となる。非透光領域４４には、第一遮光部３４及び第二遮光部３８の少なくとも一方が存在する。そのため、非透光領域４４では、光は表裏方向に透過しない。
【００２７】
第二遮光部３８の開口部３７の端部は、第一遮光端３６よりディスプレイカバー３０の中心方向に位置する（図４参照）。実施形態では、この第二遮光部３８の開口部３７の端部を「第二遮光端３９」という。第二遮光端３９は、透光領域４２と非透光領域４４との境界４３を形成する。第二遮光端３９は、第一遮光部３４の開口部３５の内側に位置する。
【００２８】
第一遮光端３６と第二遮光端３９との次のずれは、諸条件を考慮して適宜設定される。前述のずれは、ディスプレイカバー３０の表面に平行な方向へのずれである。前述のずれは、図４，５を正面視した場合、第一遮光端３６と第二遮光端３９との左右方向へのずれである。例えば、このずれの設定には、光透過性基材３２の厚みが考慮される。
【００２９】
ディスプレイカバー３０は、立体的な形状を有する。例えば、第一遮光部３４の領域は、曲面４６とされる（図１参照）。曲面４６は、表側から裏側に向かって湾曲する。曲面４６によって、第一遮光部３４の領域に滑らかな立体感を生じさせることができる。ディスプレイカバー３０は、第一遮光部３４の裏側に突出部４８を含む（図３参照）。例えば、突出部４８は、リブとして機能する。突出部４８によって、ディスプレイカバー３０の強度を高めることが可能となる。
【００３０】
光透過性基材３２を形成する材料は、特に限定されない。この材料は、諸条件を考慮して適宜決定される。例えば、光透過性基材３２は、合成樹脂製としてもよい。合成樹脂の例としては、ポリカーボネート、アクリル及びポリエチレンテレフタレートが挙げられる。第一遮光部３４及び第二遮光部３８を形成する材料は、特に限定されない。これらの材料は、諸条件を考慮して適宜決定される。例えば、これらの材料は、顔料又は染料を含んでもよい。顔料の例としては、カーボンブラックが挙げられる。第一遮光部３４及び第二遮光部３８の一方又は両方は、装飾されてもよい。例えば、第一遮光部３４及び第二遮光部３８の一方又は両方は、金属片によるラメ入りとしてもよい。
【００３１】
ディスプレイカバー３０は、表示ユニット１の一部として表示装置１０の表側に配置される（図４，５参照）。この場合、表示装置１０の表示領域６０は、ディスプレイカバー３０の透光領域４２の裏側に配置される。表示装置１０の非表示領域６２は、ディスプレイカバー３０の非透光領域４４の裏側に配置される。
【００３２】
ディスプレイカバー３０における境界４３は、表示装置１０における境界６１よりもディスプレイカバー３０の中心寄りの位置とすることが好ましい。境界４３は、透光領域４２と非透光領域４４との境界である。境界６１は、表示領域６０と非表示領域６２との境界である。
【００３３】
第二遮光端３９は、境界６１よりディスプレイカバー３０の中心寄りの配置としてもよく、第一遮光端３６は、境界６１と表裏方向に一致する配置としてもよい（図４参照）。第一遮光端３６が境界６１と表裏方向に一致する配置は、第一遮光端３６及び境界６１が共に表裏方向に沿った仮想直線上に配置されているということもできる。図４とは異なり、第二遮光端３９は、境界６１よりディスプレイカバー３０の中心寄りの配置としてもよく、第一遮光端３６は、非表示領域６２と表裏方向に重なる配置としてもよい（図５参照）。この他、第二遮光端３９及び第一遮光端３６の両方が境界６１よりディスプレイカバー３０の中心寄りの配置としてもよい（不図示）。
【００３４】
上述した実施形態によれば、ディスプレイカバー３０の非透光領域４４は、表示装置１０の非表示領域６２を覆う。人は、表示装置１０の表示領域６０に表示される画像を、ディスプレイカバー３０の透光領域４２を通して視認することができる。このとき、人は、非表示領域６２を視認することができない。
【００３５】
表示ユニット１は、様々な製品用として利用することができる。前述の製品の例としては、カーナビゲーション及びコンビネーションメーターが挙げられる。
【００３６】
＜ディスプレイカバー３０の製造方法＞
ディスプレイカバー３０の製造方法について、図６〜１５を参照して説明する。ディスプレイカバー３０の製造方法は、第一工程と、第二工程とを含む。第一工程は、光透過性基材３２を形成する。例えば、光透過性基材３２の厚さは、１ｍｍ以上３ｍｍ以下とされる。第二工程は、光透過性基材３２の裏面に第二遮光部３８を形成する。第一工程は、後述する予備成形を含む。更に、第一工程は、光透過性基材３２の表面に第一遮光部３４を形成する工程を含む。第二工程は、第二遮光部３８を第一遮光端３６に沿って形成する。
【００３７】
第一工程は、フィルムインサート法とすることが好ましい（図６〜１１参照）。但し、第一工程は、フィルムインサート法とは異なる手法としてもよい。例えば、第一工程は、インモールド法としてもよい（図１２〜１５参照）。
【００３８】
第一工程をフィルムインサート法とする場合、第一工程は、透明フィルム７０を用いる（図６参照）。透明フィルム７０は、光透過性基材３２と同じ材料で形成される。例えば、透明フィルム７０の厚さは、５０μｍ以上５００μｍ以下とされる。透明フィルム７０は、片面に遮光層７１を含む。遮光層７１の形成法の例としては、印刷及びラミネートが挙げられる。遮光層７１は、開口部を有する。遮光層７１は、第一遮光部３４となる。
【００３９】
第一工程は、透明フィルム７０に対する予備成形を含む。予備成形では、透明フィルム７０は、予備成形用の型枠７２に挿入されて加熱される。透明フィルム７０は、この加熱によって軟化する。次に、透明フィルム７０は、次の手法によって型枠７２に密着する（図７参照）。前述の手法の例としては、真空引きが挙げられる。これにより、透明フィルム７０は、ディスプレイカバー３０の表面の形状へと成形される。続けて、透明フィルム７０は、型枠７２から取り出される（図８参照）。このとき、透明フィルム７０に不要な部分があれば、その部分が透明フィルム７０から除去される。
【００４０】
予備成形された透明フィルム７０は、射出成形用の一方の金型７３に挿入される（図９参照）。このとき、透明フィルム７０は、表面でこの金型７３の内面と接する。２つの金型７３を閉じることで、表面で一方の金型７３の内面と接する透明フィルム７０の裏側には、キャビティが形成される（不図示）。２つの金型７３が閉じられた後、樹脂７６が透明フィルム７０の裏側からキャビティに充填される（図１０参照）。樹脂７６の充填後、樹脂７６を冷却させた所定のタイミングで２つの金型７３が開かれ、金型７３から成形物が取り出される（図１１参照）。樹脂７６は、光透過性基材３２となり、遮光層７１は、第一遮光部３４となる。つまり、この成形物は、第一遮光部３４が光透過性基材３２の表側でこれと一体化した部材である。
【００４１】
第一工程をインモールド法とする場合、第一工程は、透明フィルム７０を用いる。透明フィルム７０は、フィルムインサート法と同様、光透過性基材３２と同じ材料で形成され、片面に遮光層７１を含む。遮光層７１の形成法も、上述した通りである。透明フィルム７０は、箔送り装置７５によって金型７４の内側へ誘導される（図１２参照）。次に、透明フィルム７０は、一方の金型７４の内面に吸引される（図１３参照）。このとき、この金型７４の内面と接する透明フィルム７０の面を表面とする。２つの金型７４を閉じることで、表面で一方の金型７４の内面と接する透明フィルム７０の裏側には、キャビティが形成される（不図示）。２つの金型７４が閉じられた後、樹脂７６が透明フィルム７０の裏側からキャビティに充填される（図１４参照）。樹脂７６の充填後、樹脂７６を冷却させた所定のタイミングで２つの金型７４が開かれ、金型７４から成形物が取り出される（図１５参照）。樹脂７６は、光透過性基材３２となり、遮光層７１は、第一遮光部３４となる。つまり、この成形物は、第一遮光部３４が光透過性基材３２の表側でこれと一体化した部材である。
【００４２】
第二工程は、第二遮光部３８の形成法として印刷を採用する。但し、第二遮光部３８の形成法は、印刷とは異なる手法としてもよい。この形成法は、諸条件を考慮して適宜決定される。第二遮光部３８を印刷する場合、印刷法は、インクジェット印刷とすることが好ましい。例えば、インクジェット印刷は、次の第一特徴及び第二特徴を有する。第一特徴により、第二遮光部３８を０．１ｍｍ単位で高精度に位置合わせすることができる。第二特徴により、第二遮光部３８の形状を高精度に再現することができる。第二遮光部３８をインクジェット印刷する場合、紫外線硬化型インクを用いることができる。紫外線硬化型インクが光透過性基材３２の裏面に着弾した後、紫外線が光透過性基材３２の裏面上の紫外線硬化型インクに照射される。紫外線の照射に伴い、紫外線硬化型インクは、光透過性基材３２の裏面上で硬化し、第二遮光部３８を形成する。但し、印刷法は、インクジェット印刷とは異なる手法としてもよい。このような印刷法の例としては、転写印刷が挙げられる。転写印刷は、オフセット印刷とも称される。
【００４３】
＜実施形態の効果＞
実施形態によれば、次のような効果を得ることができる。
【００４４】
（１）ディスプレイカバー３０は、光透過性基材３２と、第一遮光部３４と、第二遮光部３８とを含む。第一遮光部３４は、開口部３５を有し、光透過性基材３２の表面に設けられる。第二遮光部３８は、開口部３７を有し、光透過性基材３２の裏面に第一遮光端３６に沿って設けられる。第一遮光端３６は、第一遮光部３４の開口部３５の端部である。第二遮光部３８の開口部３７は、第一遮光部３４の開口部３５と表裏方向に重なる。開口部３５，３７の表裏方向に重なる領域は、透光領域４２となる。そのため、表示ユニット１でディスプレイカバー３０を次の第一態様及び第二態様とすることができる。第一態様では、表示装置１０の表示領域６０がディスプレイカバー３０の透光領域４２の裏側に配置される。第二態様では、表示装置１０の非表示領域６２がディスプレイカバー３０の非透光領域４４の裏側に配置される。透光領域４２を通して表示装置１０の表示領域６０が視認できる。表示装置１０の非表示領域６２を視認され難くすることができる。
【００４５】
光透過性基材３２の表面に第一遮光部３４を設けることで、第一遮光部３４によって表示装置１０の非表示領域６２を隠すことができる。更に、第一遮光部３４によって光透過性基材３２の裏面の凹凸を隠すことができる。例えば、光透過性基材３２の裏面には、突出部４８が設けられる（図３参照）。光透過性基材３２の表面に第一遮光部３４を設けることで、この突出部４８を隠すことができる。
【００４６】
第二遮光部３８を光透過性基材３２の裏面に第一遮光端３６に沿って設けることで、人が第一遮光端３６付近を斜めの方向から見たとしても、第二遮光部３８によって表示装置１０の非表示領域６２を隠すことができる。ディスプレイカバー３０によって表示装置１０の非表示領域６２を視認され難くすることができる。
【００４７】
（２）第二遮光端３９は、第一遮光部３４の開口部３５の内側に位置する。第二遮光端３９は、第二遮光部３８の開口部３７の端部である。そのため、第二遮光部３８によって表示装置１０の非表示領域６２を隠す効果を大きくすることができる。
【００４８】
（３）第一遮光部３４の領域は、曲面４６とされる。そのため、ディスプレイカバー３０に美感を生じさせることができる。
【００４９】
（４）ディスプレイカバー３０の製造方法は、第一工程と、第二工程とを含む。第一工程は、光透過性基材３２を形成する。第二工程は、光透過性基材３２の裏面に第二遮光部３８を形成する。第一工程は、光透過性基材３２の表面に開口部３５を有する第一遮光部３４を形成する工程を含む。第二工程は、第二遮光部３８を第一遮光端３６に沿って形成する。そのため、上述した有利な効果を奏するディスプレイカバー３０を製造することができる。光透過性基材３２の形成を射出成形とすることで、第一工程に、第一遮光部３４を形成する工程を含ませることができる。光透過性基材３２に第一遮光部３４を効率的且つ確実に設けることができる。第二遮光部３８の形成を印刷とすることで、第二遮光部３８の位置及び形状の精度を良くすることができる。特に、印刷をインクジェット印刷とすることで、第二遮光部３８をより精度良く形成することができる。
【００５０】
＜変形例＞
実施形態は、次のようにすることもできる。以下に示す変形例のうちの幾つかの構成は、適宜組み合わせて採用することもできる。以下では、上記とは異なる点を説明することとし、同様の点についての説明は、適宜省略する。
【００５１】
（１）表示装置１０を設ける場所に凹部が形成される場合、表示装置１０は、この凹部に収納されてもよい。例えば、表示ユニット１がカーナビゲーション用であるとする（図１６参照）。図１６に示す例では、表示ユニット１は、車のコンソール１０４に設けられる。凹部１０２は、車のコンソール１０４に形成され、表示装置１０は、この凹部１０２に収納される。ディスプレイカバー３０は、上記同様、凹部１０２の開口部を閉塞する。
【００５２】
ディスプレイカバー３０の第一遮光部３４の領域は、曲面４６とされる。この場合、曲面４６は、次の部分と一体をなし、１つの曲面を形成してもよい（図１６参照）。前述の部分は、ディスプレイカバー３０の周囲に配置されるコンソール１０４の部分である。この構成により、コンソール１０４のデザイン性を向上させることができる。
【００５３】
表示装置１０とディスプレイカバー３０との間に距離がある場合、ディスプレイカバー３０とは別に、内側カバーが表示装置１０の表側に直接設けられてもよい。この場合、ディスプレイカバー３０の透光領域４２は、内側カバーを通して画像が表示される領域を表示領域として、その表示領域と対向して配置されてもよい。
【００５４】
（２）表示ユニット１は、タッチパネルとしての機能を有してもよい。表示ユニット１がタッチパネルとして機能する場合、透明電極フィルムが表示装置１０とディスプレイカバー３０との間に設けられる。透明電極フィルムには、不図示の制御装置が接続される。人が表示ユニット１に触れると、透明電極フィルムの電極と人の指との間に静電容量が生じる。制御装置は、これをタッチ操作として検出する。例えば、制御装置は、この操作の検出に応じて、駆動回路を通して表示装置１０に表示される画像を切り替える。
【００５５】
（３）実施形態では、表示装置１０として、液晶表示装置を例示した。表示装置は、液晶表示装置とは異なる表示装置であってもよい。例えば、表示装置は、有機ＥＬディスプレイ又はプラズマディスプレイであってもよい。このような表示装置でも、液晶表示装置と同様、表示領域及び非表示領域が存在する。表示領域は、ディスプレイカバー３０の透光領域４２の裏側に配置される。
【符号の説明】
【００５６】
１  表示ユニット、  ２  ケース、  １０  表示装置
１１  バックライト、  １２  導光板、  １３  光学シート
１４  フランジ、  １５  バックライトケース、  １６  液晶セル
１８  アレイ基板、  ２０  対向基板、  ２２  液晶層
２４  カラーフィルタ層、  ２５  ブラックマスク、  ２６  偏光板
２７  偏光板、  ３０  ディスプレイカバー、  ３２  光透過性基材
３３  外縁、  ３４  第一遮光部、  ３５  開口部、  ３６  第一遮光端
３７  開口部、  ３８  第二遮光部、  ３９  第二遮光端
４２  透光領域、  ４３  境界、  ４４  非透光領域、  ４６  曲面
４８  突出部、  ６０  表示領域、  ６１  境界、  ６２  非表示領域
７０  透明フィルム、  ７１  遮光層、  ７２  型枠、  ７３  金型
７４  金型、  ７５  箔送り装置、  ７６  樹脂、  １０２  凹部
１０４  コンソール、  ２１０  表示装置
２３０  ディスプレイカバー、  ２３２  光透過性基材
２３４  遮光部、  ２４２  透光領域、  ２４４  非透光領域
２６０  表示領域、  ２６２  非表示領域
【図１】
2020189095.tif 000003
【図２】
2020189095.tif 000004
【図３】
2020189095.tif 000005
【図４】
2020189095.tif 000006
【図５】
2020189095.tif 000007
【図６】
2020189095.tif 000008
【図７】
2020189095.tif 000009
【図８】
2020189095.tif 000010
【図９】
2020189095.tif 000011
【図１０】
2020189095.tif 000012
【図１１】
2020189095.tif 000013
【図１２】
2020189095.tif 000014
【図１３】
2020189095.tif 000015
【図１４】
2020189095.tif 000016
【図１５】
2020189095.tif 000017
【図１６】
2020189095.tif 000018
【図１７】
2020189095.tif 000019
【国際調査報告】
2020189095.tif 000020
2020189095.tif 000021
2020189095.tif 000022
2020189095.tif 000023
2020189095.tif 000024
2020189095.tif 000025